(57)【要約】  基地局（１０１）は、第１のセルにおいてアップリンクスクランブル符号を用いてアップリンク伝送を行うリモート局（１１７）をサポートする。コントローラ（１１９）は、リモート局（１１７）のアイデンティティからの１組のアップリンクスクランブル符号を決定し、使用された符号をそこから選択する。アクセスポイント（１１１）は、アクセスポイントに登録されているリモート局のグループを決定する。測定符号プロセッサ（２０５）は、リモート局によって潜在的に用いられるアップリンクスクランブル符号を決定する。次いで、測定ユニット（２０７，２０９）は、それらの符号を用いて、受信される信号を監視し、ハンドオーバ検出プロセッサ（２１１）は、リモート局（１１７）に対するアップリンクスクランブル符号を用いて、受信される信号の検出に応答して、リモート局（１１７）の潜在的なハンドオーバ検出を生成する。
2010517366.tif 000002
【特許請求の範囲】
【請求項１】
符号分割多元接続（ＣＤＭＡ）セルラー通信システムであって、
第１のセルにおいてアップリンクスクランブル符号を用いてアップリンク伝送を行うリモート局をサポートする第１の基地局と、
第１のリモート局のアイデンティティからアップリンクスクランブル符号の第１の組を決定し、該第１の組からアップリンクスクランブル符号を選択する構成ためのスクランブル符号手段と、前記第１の組は同アイデンティティに対する一意な依存性を有することと、
第２のセルをサポートする第１のアクセスポイントと、を含み、
第１のアクセスポイントは、
同アクセスポイントに登録されている、第１のリモート局を含むリモート局のグループを決定するための手段と、
前記リモート局のグループの関連するアップリンクスクランブル符号を決定するための手段と、第１のリモート局の第１の関連するアップリンクスクランブル符号はアップリンクスクランブル符号の第１の組のスクランブル符号であることと、
関連するアップリンクスクランブル符号を用いる受信信号を監視するための手段と、
第１の関連するアップリンクスクランブル符号を用いる受信信号の検出に応答して、第１のセルから第２のセルへの第１のリモート局のハンドオーバに関する潜在的なハンドオーバ検出を生成するように構成されたハンドオーバ検出手段と、を含む、
ＣＤＭＡセルラー通信システム。
【請求項２】
前記アクセスポイントは、潜在的なハンドオーバ検出に応答して、リモート局の隣接リストに含まれているハンドオーバパイロット信号スクランブル符号を用いてハンドオーバパイロット信号を一時的に送信するためのハンドオーバ手段をさらに備える、請求項１に記載のＣＤＭＡセルラー通信システム。
【請求項３】
第１のアクセスポイントを含む複数のアクセスポイントをサポートするように構成されたアクセスポイントコントローラを含み、ハンドオーバ手段は、潜在的なハンドオーバ検出に応答して、第１のアクセスポイントのアクセスポイントアイデンティティ指示を含むハンドオーバ指示メッセージをアクセスポイントコントローラに送信するように構成されている、請求項２に記載のＣＤＭＡセルラー通信システム。
【請求項４】
ハンドオーバ開始手段を含み、ハンドオーバ開始手段は、
リモート局からハンドオーバパイロット信号に関するパイロット検出メッセージを受信するための手段と、
パイロット信号スクランブル符号に応答してアクセスポイントコントローラのアドレスを決定するための手段と、
ハンドオーバ要求メッセージを生成するための手段と、
ハンドオーバ要求メッセージをアクセスポイントコントローラに送信するための手段と、を備える、請求項３に記載のＣＤＭＡセルラー通信システム。
【請求項５】
アクセスポイントコントローラは、ハンドオーバ要求メッセージとアクセスポイントアイデンティティ指示とに含まれる第１のリモート局に関するリモート局アイデンティティ指示に応答して、第１のアクセスポイントをハンドオーバ要求メッセージにおけるターゲットハンドオーバアクセスポイントとして識別するように構成されている請求項４に記載のＣＤＭＡセルラー通信システム。
【請求項６】
第１のアクセスポイントは、少なくともハンドオーバパイロット信号の送信されない期間にセル選択パイロット信号を送信するための手段をさらに備え、セル選択パイロット信号は、リモート局の隣接リストに含まれているセル選択パイロット信号スクランブル符号を有する請求項２に記載のＣＤＭＡセルラー通信システム。
【請求項７】
第１のアクセスポイントは、ハンドオーバパイロット信号が送信されるとき、セル選択パイロット信号を送信しないように構成されている請求項６に記載のＣＤＭＡセルラー通信システム。
【請求項８】
リモート局は、アクティブな通信のハンドオーバに関するハンドオーバ隣接リストと、通信がアクティブでないときのセル選択に関するセル選択隣接リストとを含み、ハンドオーバパイロット信号スクランブル符号はハンドオーバ隣接リストにのみ含まれ、セル選択パイロット信号スクランブル符号はセル選択ハンドオーバリストにのみ含まれる請求項６に記載のＣＤＭＡセルラー通信システム。
【請求項９】
セル選択パイロット信号用の受信レベルオフセットパラメータをリモート局へ送信することによって、アクティブな通信中に第１のリモート局にセル選択パイロット信号の検出を報告させないようにバイアスを与えるための手段を含み、リモート局は、リモート局がアクティブな通信に関与するときにのみ、受信レベルオフセットパラメータをセル選択パイロット信号に適用するように構成されている請求項６に記載のＣＤＭＡセルラー通信システム。
【請求項１０】
第２のパイロット信号に関するパラメータを含むハンドオーバ無線設定メッセージをリモート局に送信するための手段を含み、第１のアクセスポイントは第２のパイロット信号を送信するための手段を含み、リモート局は第２のパイロット信号を用いて第１のセルへのハンドオーバを行うように構成されている請求項２に記載のＣＤＭＡセルラー通信システム。
【請求項１１】
第２のパイロット信号は非アクティブなリモート局のセル選択をサポートするセル選択パイロット信号である請求項１０に記載のＣＤＭＡセルラー通信システム。
【請求項１２】
前記アクセスポイントは、第１のリモート局のアイデンティティの指示を受信するための入力手段と、第１のリモート局のアイデンティティに応答して第１の関連するアップリンクスクランブル符号を決定するための手段とを備える請求項１に記載のＣＤＭＡセルラー通信システム。
【請求項１３】
潜在的なハンドオーバ検出に応答してハンドオーバ開始メッセージを生成するためのハンドオーバ開始手段と、固定ネットワークを介して第１の基地局をサポートする無線ネットワークコントローラへのハンドオーバ開始メッセージの通信を行うための手段とを含む、請求項１に記載のＣＤＭＡセルラー通信システム。
【請求項１４】
無線ネットワークコントローラは、ハンドオーバ開始メッセージの受信に応答して第１のリモート局の第２のセルへのハンドオーバに関するハンドオーバ要求メッセージを生成するための手段と、第１のアクセスポイントをサポートする無線ネットワークコントローラにハンドオーバ要求メッセージを送信するための手段とを備える、請求項１３に記載のＣＤＭＡセルラー通信システム。
【請求項１５】
ハンドオーバ開始メッセージは、第１のアクセスポイントと、第１のアクセスポイントをサポートする無線ネットワークコントローラとのうちの１つ以上のアイデンティフィケーションを含む請求項１４に記載のＣＤＭＡセルラー通信システム。
【請求項１６】
ハンドオーバ開始手段は、第１のセルにおいて第１のリモート局をサポートするネットワーク要素から第１のリモート局の現在位置の指示を受信することに応答して、無線ネットワークコントローラのアドレスを決定するように構成されている、請求項１３に記載のＣＤＭＡセルラー通信システム。
【請求項１７】
前記アクセスポイントはハンドオーバパイロット信号を送信しないように構成されている請求項１３に記載のＣＤＭＡセルラー通信システム。
【請求項１８】
第１のセルにおいてアップリンクスクランブル符号を用いてアップリンク伝送を行うリモート局をサポートする第１の基地局を含む符号分割多元接続（ＣＤＭＡ）セルラー通信システムの動作方法であって、
第１のリモート局のアイデンティティからアップリンクスクランブル符号の第１の組を決定することと、
前記第１の組からアップリンクスクランブル符号を選択すること、前記第１の組は前記アイデンティティに対する一意な依存性を有することと、からなり、
第２のセルをサポートする第１のアクセスポイントは、
アクセスポイントに登録されている、第１のリモート局を含むリモート局のグループを決定することと、
前記リモート局のグループの関連するアップリンクスクランブル符号を決定することと、第１のリモート局の第１の関連するアップリンクスクランブル符号はアップリンクスクランブル符号の第１の組のスクランブル符号であることと、
関連するアップリンクスクランブル符号を用いる受信信号を監視することと、
第１の関連するアップリンクスクランブル符号を用いる受信信号の検出に応答して、第１のセルから第２のセルへの第１のリモート局のハンドオーバに関する潜在的なハンドオーバ検出を生成することと、を実行する、方法。
【発明の詳細な説明】
【技術分野】
【０００１】
本発明は、符号分割多元接続（ＣＤＭＡ）セルラー通信システムに関し、詳細には、他を除く訳ではないが、ユニバーサル・モバイル・テレコミュニケーション・システム（ＵＭＴＳ）に関する。
【背景技術】
【０００２】
セルラー通信システムの容量を増大させるために用いられてきた１つの方法は、階層セルの概念である。階層セルでは、マクロセル層の下に、より小さな（通常では）セルの層が存在し、このセルはマクロセルのカバレッジエリア内にカバレッジエリアを有する。このように、より大きなマクロセル内に、マイクロセルまたはピコセルとして（またはフェムトセルとも）知られている、より小さなセルが配置される。マイクロセルおよびピコセルは充分に小さなカバレッジを有するので、リソースの充分に密な再利用が可能となる。多くの場合、マクロセルは大きなエリアを通じたカバレッジを提供するために用いられ、マイクロセルおよびピコセルは、例えば人口密集地域やホットスポットにおいて、追加の容量を提供するために用いられる。さらに、住居または事務所内など特定の場所においてカバレッジを提供するためにピコセルが用いられることもある。
【０００３】
追加のリソースを効率的に活用するには、マクロセル層とその下にある下位層との間のハンドオーバ性能を最適化することが重要である。ハンドオーバの処理は３つのフェーズへ分離することができる。第１に、ハンドオーバが必要な可能性があると識別すること、第２に、適切なハンドオーバ候補を識別すること、そして最後に、移動体ユーザを１つの基地局から別の基地局へ切り替えることである。
【０００４】
３Ｇシステムに多数のピコセルを導入するというのが現在の傾向である。例えば、住居用アクセスポイントは、１つの住居すなわち１軒の家のみを対象（ターゲット）カバレッジエリアとして配備され得ることが想定される。そのようなシステムが広い範囲で導入されると、１つのマクロセル内に極めて多数の下位セルが生じる。
【０００５】
しかしながら、３Ｇネットワークのマクロ層の下にピコセル（またはマイクロセル）層を置くことによって、幾つかの問題が生じる。例えば、多数の下位セルの導入によって、例えば下位セルへのハンドオーバを行うときに、個々の下位セルのアイデンティフィケーションに関連した数々の問題が生じる。詳細には、３Ｇ通信システムは、各セルが比較的少数の隣接セルを有するという前提で開発されており、移動局が多数の潜在的な隣接セルを考慮することが必要な場合がある状況にまで現在の手法を拡張することは、現実的でない。
【０００６】
多くの下位ピコセルが存在する状況にまで現在の手法を拡張することの１つの問題は、如何にしてハンドオーバの必要を検出し、ターゲットのピコセル（またはマイクロセル）を効率的に識別するかである。詳細には、各下位セルに個別のパイロット信号スクランブル符号を割り当てて、ハンドオーバの可能性のある下位セルのすべてをマクロセルの隣接セルとして識別することは、非常に大きな隣接リストが必要となるので、実際には実現不可能である。それらの大きな隣接リストによって、例えば、隣接リストはリストにおいて可能な最大の隣接セル数を超え、移動局測定性能は（多数の測定が行われる必要があるので）遅くなり、リソース使用は増大する。さらに、各マクロセルを多数の隣接セルにより設定するために、有意な動作および管理リソースが必要となり、ネットワークの管理、計画および最適化が複雑になる。
【０００７】
しかしながら、複数のピコセルでパイロット信号用のスクランブル符号を共有すると、ターゲットが不明瞭となり、移動局が潜在的なハンドオーバターゲットを一意に識別することが妨げられる。例えば、所与のマクロセルの下にある異なる下位セルをサポートする基地局のグループが、同一のパイロット信号スクランブル符号を共有して用いる場合、この共有されるスクランブル符号の存在を検出する移動局は、潜在的なハンドオーバターゲットが検出されたことを認識するが、下位セルのグループのうちのいずれが検出されたのかを一意に識別することはできない。
【０００８】
さらに、各下位セルがパイロット信号を送信してハンドオーバをサポートするシステムでは、システムの性能を著しく低下させ得る大きな量の干渉が生じる。詳細には、共有スクランブル符号は、互いに干渉する異なる下位セルからのパイロット信号を生じる傾向がある。さらに、リモート局に幾つかの下位セルを用いることのみが許可されている状況では、リモート局の使用が許可されていない下位セルに対し多数のハンドオーバ試行が行われる場合がある。これらのハンドオーバ試行は拒絶されるが、有意なリソースを使用する。
【発明の概要】
【発明が解決しようとする課題】
【０００９】
したがって、改良されたセルラー通信システム、特に、柔軟性の増大した、多数の潜在的なハンドオーバターゲット／隣接セルに対する適切性の改良された、上位／下位ハンドオーバに対する適切性の改良された、隣接リストの減少した、ハンドオーバ試行の減少した、干渉の減少した、シグナリングの減少した、リソースオーバヘッドの減少した、実用性の増大した、測定要件の減少した、ハンドオーバターゲットの検出／アイデンティフィケーションの容易化された、改良された、もしくはその両方である、または、性能の改良された、システムは有利である。
【課題を解決するための手段】
【００１０】
したがって、本発明は、単独で、もしくは任意の組み合わせによって、上述の不利のうちの１つ以上を、好適には軽減、緩和、または除去するものである。本発明の第１の態様では、符号分割多元接続（ＣＤＭＡ）セルラー通信システムが提供される。このシステムは、第１のセルにおいてアップリンクスクランブル符号を用いてアップリンク伝送を行うリモート局をサポートする第１の基地局と、第１のリモート局のアイデンティティからアップリンクスクランブル符号の第１の組を決定し、第１の組からアップリンクスクランブル符号を選択する構成ためのスクランブル符号手段と、第１の組は同アイデンティティに対する一意な依存性を有することと、第２のセルをサポートする第１のアクセスポイントと、を含み、第１のアクセスポイントは、同アクセスポイントに登録されている、第１のリモート局を含むリモート局のグループを決定するための手段と、リモート局のグループの関連するアップリンクスクランブル符号を決定するための手段と、第１のリモート局の第１の関連するアップリンクスクランブル符号はアップリンクスクランブル符号の第１の組のスクランブル符号であることと、関連するアップリンクスクランブル符号を用いる受信される信号を監視するための手段と、第１の関連するアップリンクスクランブル符号を用いる受信される信号の検出に応答して、第１のセルから第２のセルへの第１のリモート局のハンドオーバに関する潜在的なハンドオーバ検出を生成するように構成されたハンドオーバ検出手段と、を含む。
【００１１】
本発明では、セルラー通信システムにおける動作の改良、容易化またはその両方が可能となる。詳細には、本発明では、改良されたハンドオーバ検出が提供され、パイロット信号スクランブル符号の共有が可能となるかまたは容易化され、あるいは干渉が減少される。
【００１２】
詳細には、本発明では、少数のリモート局が個々のアクセスポイントに登録されており、それらのリモート局のみがアクセスポイントにサービス提供されることが可能であるという状況において、改良されたハンドオーバ性能を提供することができる。詳細には、本発明では、一部のそのような状況において、アクセスポイントに対するハンドオーバ試行の数を、ほぼアクセスポイントに登録されているリモート局からのもののみに減少させることができる。このリモート局のグループは、詳細には、アクセスポイントに（予め）登録されているリモート局のグループであってよい。登録されているリモート局のグループは、アクセスポイントによってサポートされることが許可されているすべてのリモート局からなってよい。
【００１３】
本発明では、詳細には、同じ共有されるパイロット信号スクランブル符号を用いて、複数の潜在的なハンドオーバターゲットからの効率的なハンドオーバターゲットの解決が可能となる。
【００１４】
リモート局のグループは、１つ以上のリモート局を含んでよい。アップリンクスクランブル符号の第１の組は、１つ以上のアップリンクスクランブル符号を含んでよい。一部の実施例では、アップリンクスクランブル符号の第１の組は、第１のリモート局のアイデンティティに一意にリンクされる唯一のアップリンクスクランブル符号を含む。
【００１５】
第１のリモート局のアイデンティティは、永続的なアイデンティティであっても一時的なアイデンティティであってもよく、国際移動体加入者アイデンティティ（ＩＭＳＩ；Ｉｎｔｅｒｎａｔｉｏｎａｌ  Ｍｏｂｉｌｅ  Ｓｕｂｓｃｒｉｂｅｒ  Ｉｄｅｎｔｉｔｙ）など、加入者または端末のアイデンティティであってもよい。
【００１６】
本発明の随意の特徴では、アクセスポイントは、潜在的なハンドオーバ検出に応答して、リモート局の隣接リストに含まれているハンドオーバパイロット信号スクランブル符号を用いてハンドオーバパイロット信号を一時的に送信するためのハンドオーバ手段をさらに備える。
【００１７】
これによって、改良されたハンドオーバ動作が可能となる。詳細には、干渉を減少すること、ハンドオーバターゲットの解決を容易化すること、またはその両方が可能となる。ハンドオーバ手段は、潜在的なハンドオーバ検出が識別されるとき、ハンドオーバパイロット信号の伝送を開始してよく、所定期間の後、または特定の状態／基準は満たされたときに、伝送を終了してよい。この特徴によって、リモート局、多くの既存のネットワーク要素またはその両方を変更する必要なしに高度な後方互換性を提供しつつ、改良されたハンドオーバ動作が可能となる。
【００１８】
本発明の随意の特徴では、ＣＤＭＡセルラー通信システムは、潜在的なハンドオーバ検出に応答してハンドオーバ開始メッセージを生成するためのハンドオーバ開始手段と、固定ネットワークを介して第１の基地局をサポートする無線ネットワークコントローラに対するハンドオーバ開始メッセージの通信を行うための手段とをさらに備える。
【００１９】
これによって、改良されたハンドオーバ動作が可能となる。詳細には、干渉を減少すること、ハンドオーバターゲットの解決を容易化すること、またはその両方が可能となる。固定ネットワークは、詳細には、コアネットワークおよび無線接続ネットワーク（例えば、第３世代セルラー通信システム用の）からなってよい。固定ネットワークは、コアネットワーク（ＣＮ）および１つ以上の無線接続ネットワーク（ＲＡＮ）からなってよい。
【００２０】
本発明の別の特徴では、第１のセルにおいてアップリンクスクランブル符号を用いてアップリンク伝送を行うリモート局をサポートする第１の基地局を含む符号分割多元接続（ＣＤＭＡ）セルラー通信システムの動作方法が提供される。この方法は、第１のリモート局のアイデンティティからアップリンクスクランブル符号の第１の組を決定することと、第１の組からアップリンクスクランブル符号を選択することと、第１の組は同アイデンティティに対する一意な依存性を有することと、を含み、第２のセルをサポートする第１のアクセスポイントは、同アクセスポイントに登録されている、第１のリモート局を含むリモート局のグループを決定することと、リモート局のグループの関連するアップリンクスクランブル符号を決定することと、第１のリモート局の第１の関連するアップリンクスクランブル符号はアップリンクスクランブル符号の第１の組のスクランブル符号であることと、関連するアップリンクスクランブル符号を用いる受信される信号を監視することと、第１の関連するアップリンクスクランブル符号を用いる受信される信号の検出に応答して、第１のセルから第２のセルへの第１のリモート局のハンドオーバに関する潜在的なハンドオーバ検出を生成することと、を実行する。
【図面の簡単な説明】
【００２１】
【図１】本発明の一部の実施形態によるセルラー通信システムの一例を示す図。
【図２】本発明の一部の実施形態によるアクセスポイントの一例を示す図。
【図３】本発明の一部の実施形態によるセルラー通信システムの動作の一方法を示す図。
【発明を実施するための形態】
【００２２】
本発明のこれらのおよび他の態様、特徴、および利点は、以下に記載の実施形態を参照することによって明らかとなる。
以下の記載では、ユニバーサル・モバイル・テレコミュニケーション・システム（ＵＭＴＳ）など、第３世代のＣＤＭＡ（符号分割多元接続）セルラー通信システムに適用可能な本発明の実施形態に焦点を定める。しかしながら、本発明がこの用途に限定されず、他の多くのセルラー通信システムに適用されてよいことが認識される。また、以下の記載では、リモート局がマクロセルからマイクロセルまたはピコセルなどの下位セルへハンドオーバを行う状況に焦点を定める。しかしながら、記載した原理が、例えば、共有されるパイロット信号スクランブル符号を用いてマクロセルのグループのうちの１つのマクロセルへのハンドオーバが行われる幾つかの状況を含む、他の状況に同等に適用されることが認識される。
【００２３】
図１には、セルラー通信システム（この特定の例ではＵＭＴＳセルラー通信システムである）の一例を示す。このシステムでは、マクロ層は、基地局によってサポートされるマクロセルによって形成される。さらに、ピコセルの下位層は、多数の小基地局（以下、アクセスポイントと呼ぶ）によってサポートされる。詳細には、各アクセスポイントは、１つの家または住居に関する意図されたカバレッジを有することができ、１０〜３０ｋｍの典型的なマクロセルカバレッジエリアでは、個々のアクセスポイントによって各々サポートされる数百または数千ものピコセルが存在し得る。
【００２４】
このシステムでは、マクロの基地局は各々、所与の領域（例えば、セルスクランブル符号の再利用エリア）内において一意であるスクランブル符号の形態で、セル分離符号を有する。詳細には、マクロ基地局は、各セルに関する規定された隣節セルの組が一意なセルスクランブル符号を常に有するように、再利用エリア内で一意に割り当てられたスクランブル符号を有する。さらに、各マクロセル基地局は、所与のサービングＲＮＣの一意な基地局ＩＤによって与えられる一意な階層ネットワークアドレスを有する。サービングＲＮＣ自身も所与のＭＳＣに対する一意なＲＮＣ  ＩＤを有する。さらに、各ＭＳＣはネットワークにおいて一意なアイデンティティを有する。
【００２５】
したがって、基地局によって送信される隣接リストは、めいめい異なるセルスクランブル符号を有する複数のマクロセルの指示（ｉｎｄｉｃａｔｉｏｎ）を含む。さらに、各マクロ隣接セルについて、特定の隣接セルパイロット信号を検出することによって、マクロセルをサポートする基地局の一意なネットワークアドレスを決定可能である。したがって、ハンドオーバターゲットの基地局の明示的かつ一意なアイデンティフィケーションによって、ターゲットのマクロセルに対するハンドオーバを開始することができる。
【００２６】
対照的に、アクセスポイント（この特定の実施例ではピコセルをサポートする基地局）は、再利用エリア内の複数のアクセスポイント間で共有されるパイロット信号スクランブル符号を用いる。詳細には、所与の隣接リストは、複数の下位セル（いずれも現在のセルの隣接セル／潜在的なハンドオーバターゲットであると考えられる）に対する共有されるパイロット信号スクランブル符号の指示を含むことができる。複数のアクセスポイントの間でパイロット信号スクランブル符号を共有することによって、システムに必要とされるスクランブル符号の数は著しく減少する。さらに、スクランブル符号の数を少なく保持することによって、ハンドオーバ決定のためにリモート局が評価する必要のあるスクランブル符号の数を相当減少させて、リモート局の測定時間、電力消費、および複雑性のうちの１つ以上を減少させることが可能である。
【００２７】
しかしながら、共有されるパイロット信号スクランブル符号を使用することは、リモート局（または、サポートネットワークノード）が、検出されたスクランブル符号からリモート局が単純に検出するアクセスポイントを一意に識別できないことを意味する。むしろ、スクランブル符号を検出するリモート局は、所与のハンドオーバのターゲットアクセスポイントを一意に識別するのではなく、最良でも、同じ共有されるパイロット信号スクランブル符号を用いるアクセスポイントのグループしか識別できない。
【００２８】
一部の実施形態では、１つのマクロＲＮＣにサポートされるカバレッジエリア内の全てのアクセスポイントが同じスクランブル符号を用いる。しかしながら、他の実施形態では、アクセスポイントには複数の共有されるスクランブル符号が利用可能であることが認識される。したがって、アクセスポイントは、各グループのアクセスポイントが１つのスクランブル符号を共有し、異なるグループでは異なるスクランブル符号が用いられる複数のグループに分割されてよい。そうした実施形態では、同じ共有されるスクランブル符号を有するピコセル間の干渉を低減または最小化する再利用パターンが確立されるように、アクセスポイントにスクランブル符号が割り当てられる。
【００２９】
図１の特定の実施例では、１〜１０キロメートルの典型的なカバレッジエリアを有するマクロセルをサポートする、１つのマクロ基地局１０１を示す。マクロ基地局１０１はマクロＲＮＣ１０３に結合されており、マクロＲＮＣ１０３は他のマクロ基地局（図示せず）にさらに結合されている。マクロＲＮＣ１０３はコアネットワーク１０５にさらに結合されており、コアネットワーク１０５は他の無線接続ネットワークおよびＲＮＣに接続している。この実施例では、マクロＲＮＣ１０３は第１のＭＳＣ１０７に結合されており、第１のＭＳＣ１０７は、第１のＭＳＣ１０７とは異なるＲＮＣの組にサービス提供する、第２のＭＳＣ１０９にさらに結合されている。
【００３０】
このシステムは、さらに多数のピコセル基地局／アクセスポイント１１１，１１３を含む（明瞭さのため、図１には３つのアクセスポイントのみを示す）。アクセスポイント１１１，１１３の各々は、通常、１０〜５０メートルのカバレッジエリアを有するピコセルをサポートする。アクセスポイント１１１，１１３は、ピコセル内のＵＭＴＳ通信をサポートするために、ＵＭＴＳ基地局の必要な機能を実装する。しかしながら、従来のＵＭＴＳ基地局とは対照的に、アクセスポイント１０９は共通の共有されるパイロット信号スクランブル符号を用いる。このシステムでは、アクセスポイントは、加入者を在宅時にサポートするために個々の加入者の家に配置するための住居用アクセスポイントである。したがって、アクセスポイントは１つ以上（通常は少数）の特定の登録済みのリモート局／加入者をサポートし、そのアクセスポイントに登録されたリモート局のみにサービス提供するように意図される。
【００３１】
図１のシステムは、アクセスポイント１１１，１１３をサポートするアクセスポイントコントローラ１１５をさらに含む。この特定の実施例では、アクセスポイントコントローラ１１５は、詳細には、アクセスポイント１１１，１１３の間でのデータのルーティングを補助するとともに、ハンドオーバターゲットの不明瞭性の解決を補助する。加えて、アクセスポイントコントローラ１１５は、アクセスポイント１１３用の登録サーバを含むこともできる。この登録サーバは、アクセスポイント１１１，１１３の各々に登録されるリモート局のアイデンティティに関する情報を記憶する。この実施例では、アクセスポイント１１１，１１３は加入者をその在宅環境においてサポートし、リモート局には、アクセスポイント１１１，１１３（登録されている場合）へのハンドオーバのみが許可される。
【００３２】
図１のシステムは、マクロ基地局１０１によって初期にサービス提供されるリモート局１１７をさらに含む。リモート局１１７はアクティブな通信をサポートしており、詳細には、第１の基地局１０１に対するアップリンク伝送を行う。リモート局１１７によって用いられるアップリンクスクランブル符号は、マクロＲＮＣ１０３に結合されたスクランブル符号コントローラ１１９によって選択される（スクランブル符号コントローラ１１９が多くの実施形態ではＲＮＣの一部として実装されることが認識される）。
【００３３】
スクランブル符号コントローラ１１９は、リモート局１１７によって用いられるアップリンクスクランブル符号を選択するように構成される。詳細には、スクランブル符号コントローラ１１９は、第１のリモート局１１７のアイデンティティから１組の許可されるアップリンクスクランブル符号を決定する。この１組のアップリンクスクランブル符号はアイデンティティから一意に決定されるので、リモート局１１７のアイデンティティが既知である場合、リモート局１１７によって使用可能な潜在的なアップリンクスクランブル符号の組も既知である。したがって、このアップリンクスクランブル符号の組は、アイデンティティに対する一意な依存性を有する。スクランブル符号コントローラ１１９は、次いで、潜在的なアップリンク符号の組からの１つのアップリンクスクランブル符号の選択へ進行する。スクランブル符号コントローラ１１９は、次いで、リモート局１１７にアップリンク伝送用に、このアップリンクスクランブル符号を通信する。通常、アップリンクスクランブル符号の選択、通信および設定は、呼設定またはデータセッション設定の一部として実行される。
【００３４】
したがって、スクランブル符号コントローラ１１９は、既知の手法により、潜在的なパイロット信号スクランブル符号の組のうち特定の符号が用いられることに限定されるいずれかの不確かさで、リモート局１１７によって用いられるアップリンクスクランブル符号がリモート局１１７のアイデンティティに依存することを保証する。したがって、任意の所与の時において任意のリモート局１１７によって用いられる潜在的なアップリンクスクランブル符号の組は、このシステムでは既知であり、リモート局１１７にサービス提供する要素のうちのいずれかとの動的な情報交換を必要とすることなく、他のネットワーク要素によって用いられることが可能である。例えば、リモート局１１７に対するスクランブル符号の組が２つのスクランブル符号を含む場合、アクセスポイント１１１，１１３は、これらの２つのスクランブル符号のうちの１つがリモート局によって用いられることを独立して決定することが可能である。
【００３５】
この手法では、任意の１つのリモート局によって利用されるアップリンクスクランブル符号は、常に可能なアップリンク符号（少数）の限定されたグループから選択されるスクランブル符号である。詳細には、リモート局１１７によって用いられるアップリンクスクランブル符号が常に同じであるように、アップリンクスクランブル符号の組は１つのアップリンクスクランブル符号しか含まなくてもよい。
【００３６】
図１のシステムでは、アクセスポイント１１１，１１３は、アップリンクスクランブル符号の情報を用いてリモート局１１７の接近検出を実行し、以下に記載するように、それをリモート局１１７のハンドオーバに用いる。
【００３７】
この特定の実施例では、アップリンクスクランブル符号を決定するために用いられるリモート局１１７のアイデンティティは、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）である。しかしながら、一時的なアイデンティティ（Ｐ−ＩＭＳＩ、Ｔ−ＩＭＳＯなど）を含む他の実施形態では、他のアイデンティティが用いられてもよいことが認識される。
【００３８】
一例として、所与のリモート局について選択されたアップリンクスクランブル符号番号は、ＭＳＩＮを２２４で除した剰余として決定される。ここで、ＭＳＩＮは、このリモート局についての移動局識別番号（Ｍｏｂｉｌｅ  Ｓｔａｔｉｏｎ  Ｉｄｅｎｔｉｆｉｃａｔｉｏｎ  Ｎｕｍｂｅｒ）である。ＵＭＴＳおよびＧＳＭなどのシステムでは、ＩＭＳＩは、通常、１５桁のデジットであり、最初の６つのデジットは、通常、移動体国符号（ＭＣＣ；Ｍｏｂｉｌｅ  Ｃｏｕｎｔｒｙ  Ｃｏｄｅ）および移動体ネットワーク符号（ＭＮＣ；Ｍｏｂｉｌｅ  Ｎｅｔｗｏｒｋ  Ｃｏｄｅ）が占める。この場合、ＭＳＩＮ用に９つのデジットが残される。
【００３９】
ＵＭＴＳでは、長さ２２４（＝１６７７万７２１６）のアップリンクスクランブル符号と、同じ数の短いアップリンクスクランブル符号が存在する（接続毎に、長符号の使用と短符号の使用との間で選択が行われる）。
【００４０】
ＩＭＳＩは、通常、ＵＭＴＳの情報要素（ＩＥ）「永続ＮＡＳ（Ｐｅｒｍａｎｅｎｔ  ＮＡＳ）リモート局アイデンティティ」に含まれると、マクロＲＮＣ１０３に（したがって、スクランブル符号コントローラ１１９に）利用可能となる。このＩＥは、Ｉｕシグナリング接続の確立に続くＣＯＭＭＯＮ  ＩＤシグナリングメッセージにより、コアネットワークによってマクロＲＮＣ１０３へ送信される。ＩＭＳＩ情報は、コアネットワークに利用可能である場合、単に送信される。この情報は、多くの場合、ページング手続の一部としてＲＮＣによって用いられる。
【００４１】
ＩＭＳＩがマクロＲＮＣ１０３／スクランブル符号コントローラ１１９に利用可能でない場合、システムはＰ−ＴＭＳＩまたはＴＭＳＩなどの暫定的なアイデンティティを用いてもよい。
【００４２】
図２には、第１のアクセスポイント１１１をより詳細に示す。他のアクセスポイント１１３は、この実施例では第１のアクセスポイント１１１と同一である。
アクセスポイント１１１は、アクセスポイント１１１をアクセスポイントコントローラ１１５に接続する、アクセスポイントコントローラインタフェース２０１を備える。アクセスポイントコントローラインタフェース２０１はグループプロセッサ２０３に結合されている。グループプロセッサ２０３は、アクセスポイント１１１にて登録されるリモート局のグループを決定するように構成されている。この特定の実施例では、グループプロセッサ２０３は、アクセスポイント１１１に登録されているリモート局のリストを、アクセスポイントコントローラ１１５から受信する。したがって、アクセスポイントコントローラ１１５の登録サーバは、個々のアクセスポイントに登録されているリモート局の情報を記憶する。そのような情報は、例えば、各リモート局の加入情報に応答して、ネットワークオペレータによって手動で入力されてもよい。登録サーバは、各アクセスポイント１１１，１１３に、そのアクセスポイント１１１，１１３に対し登録されているリモート局の指示を含むメッセージを送信することができる。この実施例では、アイデンティフィケーションはＩＭＳＩなどの加入者アイデンティティであってもよく、登録されている各リモート局のＩＭＳＩにリンクされたスクランブル符号の実際の関連した組であってもよく、その両方であってもよい。この実施例では、（住居）アクセスポイントに登録されているリモート局のみがアクセスポイントを用いてもよい。さらに、この実施例では、第１のリモート局１１７は単に第１のアクセスポイント１１１にのみ登録される。
【００４３】
グループプロセッサ２０３は測定符号プロセッサ２０５に結合されており、測定符号プロセッサ２０５は、グループプロセッサによって識別されるリモート局のグループの関連するアップリンクスクランブル符号を決定するように構成されている。詳細には、測定符号プロセッサ２０５は、アクセスポイントに対し登録されたリモート局のアイデンティティに関連付けられる／リンクされるアップリンクスクランブル符号の組を決定する。したがって、測定符号プロセッサ２０５は、第１のリモート局１１７によって用いられるアップリンクスクランブル符号を少なくとも決定する。
【００４４】
一部の実施形態では、グループプロセッサ２０３は、アクセスポイントに登録されている１つ以上のリモート局のアイデンティティ（例えば、ＩＭＳＩ）を受信し、測定符号プロセッサ２０５は、この情報を用いて、潜在的なアップリンクスクランブル符号の組を決定する。したがって、アップリンクスクランブル符号の組を決定するためにスクランブル符号コントローラ１１５によって用いられるアルゴリズムは、潜在的なアップリンクスクランブル符号を独立に決定するために、測定符号プロセッサ２０５によって複製されてもよい。他の実施形態では、この機能はアクセスポイントコントローラ１１５に実行されてもよく、グループプロセッサ２０３はスクランブル符号（リモート局を間接的に識別できる）を直接受信してもよい。そのような場合、測定符号プロセッサ２０５は、グループプロセッサ２０３から受信した情報を直接転送する場合がある。
【００４５】
測定符号プロセッサ２０５は測定プロセッサ２０７に結合されており、測定プロセッサ２０７はさらに測定受信器２０９に結合されている。測定受信器２０９は、当技術分野において知られているように、受信した信号とスクランブル符号との相関を解除することによって、所与のスクランブル符号について受信される信号レベルを決定するように構成されている。測定プロセッサ２０７は、決定したアップリンクスクランブル符号を用いる受信信号を監視するように、測定受信器２０９を制御する。
【００４６】
詳細には、測定プロセッサ２０７は、アクセスポイント１１１に登録されたリモート局によって用いられ得るすべての可能なアップリンクスクランブル符号についての受信信号レベルを連続的かつ並列的に決定するように、測定受信器２０９を制御することができる。しかしながら、この数は通常、非常に小さく、各リモート局に関連したアップリンクスクランブル符号の数も非常に少なくなることがあるので、これらの測定に必要なリソースは通常、少ない。詳細には、多くの実施形態では、監視されるアップリンクスクランブル符号の数は、１つの符号であってもよい。一部の実施形態では、複数のスクランブル符号が連続的に（例えば、周期的に反復する時間間隔で）監視される。
【００４７】
測定受信器２０９は、同期を達成するために、例えば、様々な周波数、異なる時間オフセット、またはその両方で、アップリンク信号を走査するように構成されてよいことが認識される。
【００４８】
測定受信器２０９および測定プロセッサ２０７はハンドオーバ検出プロセッサ２１１に結合されている。ハンドオーバ検出プロセッサ２１１は、関連するアップリンクスクランブル符号を用いる受信される信号の検出に応答して、第１のセルから第２のセルへの第１のリモート局のハンドオーバに関する潜在的なハンドオーバ検出を生成するように構成されている。詳細には、監視されたアップリンクスクランブル符号のうちの１つについて測定された信号レベルが所定の閾値を超えて増大する場合、ハンドオーバ検出プロセッサ２１１は潜在的なハンドオーバ検出を生成する。
【００４９】
したがって、潜在的なハンドオーバ検出の生成は、アクセスポイントに登録されたリモート局のうちの１つが現在、別の基地局（通常、マクロ基地局）によってサポートされているが、おそらくはそのアクセスポイントへハンドオーバを行うという指示である。これにしたがって、アクセスポイントはハンドオーバの開始に進行することができる。
【００５０】
したがって、記載のシステムでは、リモート局がそのリモート局に関連するアクセスポイントへハンドオーバを行う可能性を、そのアクセスポイントから連続的に個別のパイロット信号を送信する必要なく、決定することが可能である。さらに、アップリンクスクランブル符号をリモート局のアイデンティティにリンクすることによって、アクセスポイントを、現在リモート局をサポートしている基地局、ＲＮＣまたはコアネットワーク要素からの明示的な情報を必要とせずに、登録されているリモート局からのアップリンク伝送を検出するように、自動的に設定することが可能である。むしろ、独立のかつ自律的な設定を行うことによって、シグナリングオーバヘッドを減少することが可能である。従来のシステムでは、他のネットワーク要素にサポートされているリモート局からのアップリンク伝送を監視するために必要なアップリンクパラメータは、そのシステムにおける他の場所で一般に利用可能でなく、そのような手法は実現不可能である。
【００５１】
記載のシステムの具体的な一利点は、潜在的なハンドオーバ検出が、アクセスポイントに登録されているリモート局に限定されるため、開始されるハンドオーバの試行の数が、関連するハンドオーバに限定されることである。例えば、典型的なシステムには２００万〜５００万のアクセスポイントユーザ（したがって、ＩＭＳＩ）が含まれ得るので、別のユーザのアクセスポイントに近いユーザに対し同じアップリンクスクランブル符号が割り当てられることは起こりそうにない。
【００５２】
一部の実施形態では、アクセスポイント１１１は、特定のハンドオーバパイロット信号スクランブル符号によりハンドオーバパイロット信号を一時的に送信することによりハンドオーバの試行を開始するように構成される。図２の実施例では、アクセスポイント１１１はパイロット信号プロセッサ２１３を備える。パイロット信号プロセッサ２１３は、パイロット信号送信器２１５に結合されている。パイロット信号プロセッサ２１３は、ハンドオーバ検出プロセッサ２１１によって潜在的なハンドオーバ検出が生成されるときにハンドオーバパイロット信号を送信するよう、パイロット信号送信器２１５を制御する。ハンドオーバパイロット信号は、リモート局１１７の隣接リストに含まれているパイロット信号スクランブル符号を用いる。
【００５３】
さらに、パイロット信号スクランブル符号は、この実施例では、マクロセルの下にある多数のアクセスポイント１１１，１１３によって用いられる、共有されるスクランブル符号である。したがって、多数のアクセスポイントによって同じスクランブル符号が用いられることによって、それらのアクセスポイント全てに対する１つのエントリを含み、リモート局のみへ送信される、隣接リストが生じる（一部の実施形態では、１つのセルの全てのアクセスポイントに対し、単一のパイロット信号スクランブル符号のみが用いられる）。
【００５４】
パイロット信号スクランブル符号が隣接リストに含まれているので、ハンドオーバパイロット信号は、他のパイロット信号と同じようにリモート局１１７によって検出される（リモート局１１７はアクセスポイント１１１に充分に近いと仮定する。これは、アップリンク信号がアクセスポイント１１１によって検出されるときには通常適切であり、有効な接近検出である）。したがって、リモート局１１７は測定報告の生成を開始する。測定報告は、マクロＲＮＣ１０３へ送信され、ハンドオーバパイロット信号を送信する基地局へのハンドオーバが有利であることを示す。
【００５５】
この測定報告の受信に応答して、マクロＲＮＣ１０３はハンドオーバ手続を開始し、詳細には、マクロＲＮＣ１０３から第１のＭＳＣ１０７へ送信される「再割当必要」（ＲＥＬＯＣＡＴＩＯＮ  ＲＥＱＵＩＲＥＤ）メッセージを生成する。
【００５６】
しかしながら、パイロット信号スクランブル符号が多数のアクセスポイント１１１，１１３の間で共有されているので、マクロＲＮＣ１０３は、どのアクセスポイント１１１，１１３がリモート局１１７によって検出されたかを正確には知らない。この特定の実施例では、このターゲットの不明瞭性はアクセスポイントコントローラ１１５により解決される。詳細には、パイロット信号スクランブル符号は、特定のパイロット信号スクランブル符号の検出に応答したハンドオーバ開始によって、ＲＥＬＯＣＡＴＩＯＮ  ＲＥＱＵＩＲＥＤメッセージがアクセスポイントコントローラ１１５に宛てて送信されるように、アクセスポイントコントローラ１１５のアドレスにリンクされたマクロＲＮＣ１０３に存在する。この実施例では、パイロット信号スクランブル符号はアクセスポイントコントローラ１１５のアドレスに一意にリンクされているが、他の実施形態では、適切なアクセスポイントコントローラのアドレスを決定するためのより複雑な手段が用いられてよいことが認識される。
【００５７】
この実施例では、アクセスポイント１１１は、ハンドオーバ検出プロセッサ２１１とアクセスポイントコントローラインタフェース２０１とに結合された、メッセージ生成器２１７を備える。潜在的なハンドオーバ検出がハンドオーバ検出プロセッサ２１１によって生成されると、これは、メッセージ生成器２１７に、アクセスポイントコントローラ２１５へ送信されるハンドオーバ指示メッセージを生成させる。
【００５８】
ハンドオーバ指示メッセージは、ハンドオーバパイロット信号を送信したアクセスポイント（すなわち、第１のアクセスポイント１１７）のアクセスポイントアイデンティティ指示を提供する。一部の実施形態では、アクセスポイントアイデンティティ指示は非明示的（ｉｍｐｌｉｃｉｔ）であってもよい。すなわち、アクセスポイントアイデンティティ指示は単純にメッセージの発信元アドレスによって提供されてもよい。したがって、アイデンティティ指示は、第１のアクセスポイント１１７にサービス提供するネットワーク要素（第１のアクセスポイントを自身を含む）のネットワークアドレスの指示であってよい。
【００５９】
加えて、ハンドオーバ指示メッセージは、検出され、送信されているパイロット信号を生じたリモート局１１７の指示を含む。この指示は、例えば、ＩＭＳＩの指示またはリモート局１１７によって用いられるアップリンクスクランブル符号によって提供されてもよく、アクセスポイント１１１によって監視されているアップリンクスクランブル符号が１つしかない場合には、例えば、そのメッセージの発信元アドレスによって非明示的に示されてもよい。
【００６０】
ハンドオーバ要求メッセージがアクセスポイントコントローラ１１５によって受信されるとき、リモート局１１７のアイデンティティ指示を、アクセスポイントコントローラ１１５によってサービス提供される任意のアクセスポイント１１１，１１３によって最近検出されたリモート局のアイデンティティ指示と比較することによって、そのメッセージのターゲットアクセスポイントのアドレスが決定される。一致が見出される場合、ハンドオーバ要求メッセージは、そのアクセスポイント１１１または識別されたターゲットアクセスポイント１１１をサポートするＲＮＣへ転送される。この実施例では、各アクセスポイントは、アクセスポイントのサポートに必要なＲＮＣ機能を備え、また詳細には、アクセスポイントのＲＮＣハンドオーバ機能を備える。したがって、ハンドオーバ要求メッセージ（例えば、ＲＥＬＯＣＡＴＩＯＮ  ＲＥＱＵＩＲＥＤメッセージ）は、識別されたターゲットアクセスポイント１１１へ直接転送される。次いで、マクロＲＮＣ１０３およびアクセスポイント１１１のＲＮＣ機能は、アクセスポイント１１１へのリモート局１１７のハンドオーバを行うために、従来のハンドオーバ処理の実行を開始してよい。
【００６１】
一部の実施形態では、検出指示を送信するアクセスポイントなしで、アクセスポイントコントローラ１１５によってターゲットの不明瞭性の解決が実行されてよいことが認識される。例えば、リモート局が１つのアクセスポイントにしかリンクされていない場合がある。したがって、ハンドオーバ要求を受信して特定のリモート局を識別する場合、アクセスポイントコントローラ１１５は、登録サーバにアクセスを行って関連するアクセスポイントを識別し、ハンドオーバ要求メッセージはそのアクセスポイントへ送信されてよい。
【００６２】
しかしながら、そのような手法では、現在パイロット信号を送信している関連しないアクセスポイントに近いリモート局（例えば、そのアクセスポイントがそのアクセスポイントに登録された別のリモート局を検出したため）が、このパイロット信号を報告することになり、それによって、ハンドオーバ手続のより後の段階にて拒絶されるハンドオーバ手続が開始される。そのようなハンドオーバメッセージは、第１の手法が用いられる場合、アクセスポイントコントローラ１１５によって即座に拒絶され得る。
【００６３】
一部の実施形態では、リモート局は、アクセスポイントによって送信された一意なセルアイデンティティ（ＵＭＴＳでは、この情報はパイロット信号上のデータとして送信される）を復号してもよい。その場合、この情報はマクロＲＮＣへ報告され、ハンドオーバ要求メッセージを適切なアクセスポイントへ直接宛てるために用いられてよい。
【００６４】
一部の実施形態では、パイロット信号送信器は、ハンドオーバパイロット信号の一時的な伝送に加えて、少なくともハンドオーバパイロット信号が送信されない期間に、セル選択パイロット信号を送信してもよい。セル選択パイロット信号には、リモート局１１７の隣接リストに含まれているセル選択パイロット信号スクランブル符号が用いられる。
【００６５】
ハンドオーバパイロット信号はアクティブな通信におけるリモート局のハンドオーバをサポートするために送信されるが、セル選択パイロット信号は、いかなるアクティブなユーザデータ通信も関与しないリモート局によるセル選択（すなわち、アイドル状態にあるか、専用接続モードにないか、またはその両方であるリモート局）に用いられる。
【００６６】
したがって、このシステムでは、アクティブでないリモート局のセル選択／再選択に用いられるスクランブル符号は、ハンドオーバの目的でリモート局の捕捉を行うために用いられるものと異なる。
【００６７】
例えば、スクランブル符号ａ，ｂ，ｃ，ｄ，ｅ，ｆが、ハンドオーバ用に予め定義されてよい（以下、ハンドオーバスクランブル符号と呼ぶ）。別個のスクランブル符号の組、例えば、ｇ，ｈ，ｉ，ｊ，ｋ，ｌが、アクティブでないリモート局のセル選択／再選択用に用いられる（以下、セル選択スクランブル符号と呼ぶ）。
【００６８】
多くの実施形態では、１つのハンドオーバスクランブル符号だけが用いられる。詳細には、ハンドオーバスクランブル符号は、リモート局がその関連するアクセスポイントセルに入るときに一時的に有効とされる（ｌｉｇｈｔ  ｕｐ）だけなので、生じる干渉はわずかであり、複数のスクランブル符号の周波数計画または再利用はおそらく不要である。
【００６９】
同時に２つのスクランブル符号で送信することによって同一チャネル干渉が生じるが、特に、ハンドオーバスクランブル符号は、リモート局がアクセスポイントによって捕捉されている一時的な期間にしか用いられないので、これは多くの実施形態では許容可能である。しかしながら、一部の実施形態では、干渉は、ハンドオーバパイロット信号が送信されないときにセル選択パイロット信号を送信するアクセスポイントにしか減少されない場合がある。
【００７０】
したがって、リモート局がアイドルモードのときにアクセスポイントセルを選択することが可能であるように、アクセスポイントは、隣接リストに含まれた、先験的に規定されたセル選択スクランブル符号において、セル選択パイロット信号をブロードキャストする。しかしながら、潜在的なハンドオーバの数をアクセスポイントに登録されたリモート局のみにまで減少させるように、リモート局がアクティブな通信（例えば、ＤＣＨ接続モードのハンドオーバを行うとき）にあるとき、これらのスクランブル符号は好適には測定されず、報告されない。
【００７１】
したがって、リモート局は、好適には、アクティブな通信のハンドオーバに関するものと、通信がアクティブでないときのセル選択に関するものとの、異なる隣接リスト（または同様に、同じリストの異なる部分）を含むハンドオーバ隣接リストを有する。この場合、ハンドオーバパイロット信号スクランブル符号は、ハンドオーバ隣接リストにのみ含まれており、セル選択スクランブル符号は、セル選択ハンドオーバリストにのみ含まれている。
【００７２】
ＵＭＴＳでは、完全に別個な隣接リストの明示的な伝送は行われないが、異なる測定をどのように実行するかを示す情報の伝送によって、これが達成される。詳細には、ＵＭＴＳでは、接続モード（ＳＩＢ１２）およびアイドルモード（ＳＩＢ１１）における使用のために送信される、異なる測定制御システム情報（ＭＣＳＩ；Ｍｅａｓｕｒｅｍｅｎｔ  Ｃｏｎｔｒｏｌ  Ｓｙｓｔｅｍ  Ｉｎｆｏｒｍａｔｉｏｎ）が可能となる。
【００７３】
したがって、このシステムではスクランブル符号の２つ以上の組が用いられる。一方の組はセル（再）選択に用いられ（これらのスクランブル符号における伝送は好適には頻繁に／常に行われる）、他方の組はハンドオーバに用いられ、登録されているリモート局が近いことを検出するときにのみ送信される。スクランブル符号の２つの組のサポートは、接続モードおよびアイドルモードに別個の組を用いることによって達成される（この場合、アイドルモードのユーザは、再選択することの不可能なハンドオーバスクランブル符号のサーチに時間を費やすことはない）。接続モードのユーザへ提供される隣接セルのリストには、一時的に送信されるハンドオーバスクランブル符号が含まれ、アイドルモードのユーザへ提供される隣接セルのリストには、セル選択スクランブル符号が含まれる。
【００７４】
一部の実施形態では、システムは、セル選択パイロット信号用の受信レベルオフセットパラメータをリモート局へ送信することによって、アクティブな通信中にリモート局にセル選択パイロット信号の検出を報告させないようにバイアスを与えるよう構成されてよい。このオフセットパラメータは、リモート局がアクティブな通信にあるとき（例えば、接続モード）にのみ、適用されてよい。
【００７５】
詳細には、ＵＭＴＳでは、アクティブなリモート局は、接続モードの共通チャネル状態（例えば、Ｃｅｌｌ＿ＦＡＣＨ、Ｃｅｌｌ＿ＰＣＨ、ＵＲＡ＿ＰＣＨ）で動作する場合がある。これらの状態のリモート局は、セル再選択によってモビリティを達成する。しかしながら、伝送には異なるアップリンクスクランブル符号（共有されているため、個々のリモート局アイデンティティに基づく割当は不可能である）が用いられるので、接近検出手法を用いることは不可能であり、したがって、一時的なハンドオーバパイロット信号の存在を用いることは不可能である。したがって、この場合、セル選択スクランブル符号とハンドオーバスクランブル符号との両方が、接続モードの隣接リストに含まれる必要がある。そのような実施形態では、受信レベルオフセットを用いて、リモート局が共通（専用でない／共有されるリソース）チャネルのアクティブな呼について報告されることを可能としつつ、リモート局が専用チャンネルのアクティブな呼についてのセル選択スクランブル符号を報告するのを妨げてもよい。
【００７６】
詳細には、セル個別オフセット（Ｃｅｌｌ  Ｉｎｄｉｖｉｄｕａｌ  Ｏｆｆｓｅｔ）パラメータは、測定報告が生成されるときを決定する際に適用される（ＵＭＴＳ技術仕様（Ｔｅｃｈｎｉｃａｌ  Ｓｐｅｃｉｆｉｃａｉｔｏｎ）２５．３３１の第１４章を参照）が、セル選択／再選択手続には用いられない。したがって、このパラメータがリモート局へ通信され、セル選択の目的では除外されるスクランブル符号に対する測定報告の生成を停止することが可能である。
【００７７】
一部の実施形態では、ハンドオーバパイロット信号は、ハンドオーバの初期段階においてのみ用いられてよく、詳細には、リモート局１１７が検出するパイロット信号を提供するためにのみ用いられてよい。一方、異なるパイロット信号が、実際のハンドオーバに対し、アクセスポイント１１１にサポートされるときにリモート局をサポートするために用いられてもよい。
【００７８】
詳細には、マクロＲＮＣ１０３によって生成されたＲＥＬＯＣＡＴＩＯＮ  ＲＥＱＵＩＲＥＤメッセージに応答して、異なるパイロット信号の様々なパラメータおよび特性の指示を含むハンドオーバ無線設定メッセージが生成され、リモート局１１７へ送信されてよい。ハンドオーバ無線設定メッセージは、アクセスポイント１１１によって送信されるセル選択パイロット信号についての特性およびパラメータを指定することができる。リモート局１１７は、次いで、ハンドオーバパイロット信号でなくセル選択パイロット信号を用いて、ハンドオーバの実行を開始する。結果として、ハンドオーバパイロット信号を送信する必要のある時は減少し、さらにそれによって、他のアクセスポイントへの干渉も減少し、他のリモート局が共有ハンドオーバパイロット信号スクランブル符号を検出し、拒絶されることになるハンドオーバを生成する可能性を減少させることが可能である。
【００７９】
詳細には、ＳＲＮＳ（Ｓｅｒｖｉｎｇ  Ｒａｄｉｏ  Ｎｅｔｗｏｒｋ  Ｓｕｂｓｙｓｔｅｍ）再割当（Ｉｕｒなし）手続がＵＭＴＳシステムにおいて実行されるとき、ターゲットＲＮＣは、発信元ＲＮＣへ送信される発信元ＲＮＣからターゲットＲＮＣへの透明コンテナに、ＲＲＣ（Ｒａｄｉｏ  Ｒｅｓｏｕｒｃｅ  Ｃｏｎｔｒｏｌ）メッセージ（ＰＨＹＳＩＣＡＬ  ＣＨＡＮＮＥＬ  ＣＯＮＦＩＧＵＲＡＴＩＯＮ、ＲＡＤＩＯ  ＢＥＡＲＥＲ  ＲＥＣＯＮＦＩＧＵＲＡＴＩＯＮなど）を含む。ターゲットＲＮＣは、このメッセージを用いて、ターゲットＲＮＣの下のリモート局によって用いられるべき無線プロトコル層（すなわち、ＰＨＹ、ＭＡＣ、ＲＬＣ層など）の設定をリモート局に通知することが可能である。詳細には、ターゲットＲＮＣは、ターゲットＲＮＣの下のリモート局によって用いられるべきスクランブル符号を示すことが可能である。このようにして、ターゲットシステムの選択によるスクランブル符号により、呼を設定することが可能である。この特定の実施例では、アクセスポイントコントローラ１１５、アクセスポイント１１１またはその両方は、セル選択パイロット信号によって用いられるパイロット信号スクランブル符号の指示を含む透明なコンテナを生成し、そのコンテナをマクロＲＮＣ１０３に送信することが可能である。マクロＲＮＣ１０３は、このコンテナを、それらのパラメータを次いで用いるリモート局へ転送する。
【００８０】
上述の例では、アクセスポイントコントローラ１１５は登録サーバを備える。登録サーバは、いずれのリモート局がアクセスポイント１１１に登録されているかに関する情報を、例えば、登録されている各リモート局に対するＩＭＳＩまたはアップリンクスクランブル符号の形態で、アクセスポイント１１１へ送信する。しかしながら、他の実施形態では、アクセスポイント１１１は、登録されているリモート局のアイデンティティをユーザ入力によって直接提供されることが可能である。例えば、アクセスポイント１１１は、ユーザ（例えば、加入者またはネットワークオペレータ）が、例えば、アクセスポイントに登録されているリモート局のＩＭＳＩを、直接打ち込むことを可能とするキーボード入力部を備えてよい。アクセスポイント１１１は、次いで、スクランブル符号コントローラ１１９によって用いられるのと同じアルゴリズムを適用することによって、アイデンティティに応答して、関連するアップリンクスクランブル符号を決定することが可能である。
【００８１】
上述の実施例では、潜在的なハンドオーバ検出を用いて、ハンドオーバパイロット信号のスイッチをオンに切り替えることによってハンドオーバを開始し、リモート局１１７が信号を検出し、マクロＲＮＣ１０３がハンドオーバを開始することを可能とする測定報告を生成した。
【００８２】
他の実施形態では、潜在的なハンドオーバ検出によって、アクセスポイント１１１またはアクセスポイントコントローラ１１５により、より直接的にハンドオーバが開始される。
【００８３】
詳細には、アクセスポイント１１１またはアクセスポイント１１１にサービス提供する要素（アクセスポイント１１１にサービス提供するアクセスポイントコントローラ１１５またはＲＮＣなど）は、潜在的なハンドオーバ検出に応答してハンドオーバ開始メッセージを生成することが可能である。ハンドオーバ開始メッセージは、次いで、固定ネットワークを介して、リモート局１１７を現在サポートしているマクロＲＮＣ１０３へ送信される。固定ネットワークは、セルラー通信システムのインフラストラクチャ部分であり、一般にコアネットワーク（Ｃｏｒｅ  Ｎｅｔｗｏｒｋ）および任意の無線接続ネットワーク（Ｒａｄｉｏ  Ａｃｃｅｓｓ  Ｎｅｔｗｏｒｋ）を含む。この特定の実施例では、潜在的なハンドオーバ検出を示すメッセージがアクセスポイント１１１から受信されるとき、アクセスポイントコントローラ１１５はハンドオーバ開始メッセージを生成することができる。このメッセージは、次いで、第１、第２のＭＳＣ１０７，１０９を介し、マクロＲＮＣ１０３へ送信される。
【００８４】
マクロＲＮＣ１０３は、ハンドオーバ開始メッセージを受信すると、第１のリモート局がアクセスポイント１１１のセルへのハンドオーバを行うとのハンドオーバ要求メッセージの生成を開始する。詳細には、ＲＥＬＯＣＡＴＩＯＮ  ＲＥＱＵＥＳＴメッセージが生成され、第１のアクセスポイント１１１にサービス提供するＲＮＣへ送信されることが可能である。この特定の実施例では、アクセスポイント１１１自身がＲＮＣ機能を備えており、第１のアクセスポイント１１１へＲＥＬＯＣＡＴＩＯＮ  ＲＥＱＵＥＳＴメッセージを直接送信することが可能である。
【００８５】
さらに、リモート局１１７からのアップリンク伝送を検出するとき、第１のアクセスポイント１１１によってハンドオーバが開始されるので、正確なターゲットアクセスポイントのアイデンティティは既知であり、ハンドオーバ開始メッセージへ含められることが可能である。したがって、この実施例では、ハンドオーバ開始メッセージは第１のアクセスポイント１１１のアドレスを含み、これにしたがって、マクロＲＮＣ１０３はＲＥＬＯＣＡＴＩＯＮ  ＲＥＱＵＥＳＴメッセージを直接第１のアクセスポイント１１１に宛てることが可能である。
【００８６】
詳細には、ＵＭＴＳシステムでは、この手法により、ＲＡＮＡＰ再割当必要（Ｒｅｌｏｃａｔｉｏｎ  Ｒｅｑｕｉｒｅｄ）コマンドを第１のＭＳＣ１０７へ送ることによって、ターゲット側からのＳＲＮＳ再配置手続のトリガが可能となる。ＲＡＮＡＰ再割当必要コマンドは、追加情報要素（例えば、ＩＭＳＩ、アップリンクスクランブル符号、ターゲットセルのアイデンティティ）を含む、ＲＲＣ透明コンテナを含むことが可能である。これによって、次いで、マクロＲＮＣ１０３に標準的なＳＲＮＳ再割当を開始させる。
【００８７】
この実施例では、ハンドオーバ開始は、ダウンリンクパイロット信号の検出ではなく、リモート局からのアップリンク伝送の検出に基づく。したがって、そのような実施例では、アクセスポイントはハンドオーバパイロット信号を送信しないでよく、これによって、干渉を減少させるとともに、追加のパイロット信号スクランブル符号の必要を減少させる。
【００８８】
ハンドオーバを開始するには、ハンドオーバ開始メッセージが正しいマクロＲＮＣ１０３へ宛てられる必要がある。一部の実施形態では、アクセスポイントコントローラ１１５は、第１のリモート局の現在の位置の指示を受信し、この指示を用いて、アクセスポイントにサービス提供するマクロＲＮＣ１０３のアドレスを決定してよい。現在位置は、第１のＭＳＣまたはＨＬＲ／ＶＬＲ（Ｈｏｍｅ  Ｌｏｃａｔｉｏｎ  Ｒｅｇｉｓｔｅｒ／Ｖｉｓｉｔｏｒ  Ｌｏｃａｔｉｏｎ  Ｒｅｇｉｓｔｅｒ）など、第１のセルにおいて第１のリモート局をサポートするネットワーク要素から受信される。詳細には、アクセスポイントコントローラ１１５は、ＨＬＲ／ＶＬＲからリモート局１１７の現在のエリア位置符号（ＬＡＣ；Ｌｏｃａｔｉｏｎ  Ａｒｅａ  Ｃｏｄｅ）を読み出すことが可能である。
【００８９】
別の一例として、アクセスポイントが、通常、上位のマクロセルからのみアクセス可能であるように、静的に設定されてもよい。別の一例として、再割当シーケンスにおいて、マクロＲＮＣ１０３がマクロセルにおけるユーザの存在についてサブ層へ信号で送ることを可能とする新たなメッセージが追加されてもよい（例えば、再割当情報（Ｒｅｌｏｃａｔｉｏｎ  Ｉｎｆｏｒｍａｔｉｏｎ））。
【００９０】
図３には、本発明の一部の実施形態によるＣＤＭＡセルラー通信システムの動作の方法を示す。このＣＤＭＡセルラー通信システムは、第１のセルにおいてアップリンクスクランブル符号を用いてアップリンク伝送を行うリモート局をサポートする、第１の基地局を含む。
【００９１】
この方法は工程３０１で開始する。工程３０１では、第１のリモート局のアイデンティティからアップリンクスクランブル符号の第１の組が決定される。
工程３０１には工程３０３が続く。工程３０３では、第１の組からアップリンクスクランブル符号が選択される。第１の組は、アイデンティティに対する一意な依存性を有する。
【００９２】
工程３０３には工程３０５が続く。工程３０５では、第２のセルをサポートする第１のアクセスポイントが、アクセスポイントに登録されているリモート局のグループを決定する。リモート局のグループには、第１のリモート局が含まれる。
【００９３】
工程３０５には工程３０７が続く。工程３０７では、第１のアクセスポイントが、リモート局のグループの関連するアップリンクスクランブル符号を決定する。第１のリモート局の第１の関連するアップリンクスクランブル符号は、アップリンクスクランブル符号の第１の組のスクランブル符号である。
【００９４】
工程３０７には工程３０９が続く。工程３０９では、第１のアクセスポイントが、関連するアップリンクスクランブル符号を用いる受信信号を監視する。
工程３０９には工程３１１が続く。工程３１１では、第１のアクセスポイントが、第１の関連するアップリンクスクランブル符号を用いる受信される信号の検出に応答して、第１のセルから第２のセルへの第１のリモート局のハンドオーバに関する潜在的なハンドオーバ検出を生成する。
【００９５】
リモート局のハンドオーバまたは再割当は、リモート局が１つのセルにサポートされている状態から別のセルにサポートされている状態へ移る任意の処理または動作であってよいことが認識される。
【００９６】
明瞭さのため、上述の記載は、異なる機能ユニットおよびプロセッサに関して本発明の実施形態を説明したものであることが認識される。しかしながら、本発明から逸脱することなく、異なる機能ユニットまたはプロセッサ間に機能を分散させて用いられてよいことは明らかである。例えば、個別のプロセッサまたはコントローラによって実行されるように示した機能が、同じプロセッサまたはコントローラによって実行されてもよい。したがって、特定の機能ユニットへの参照は、厳密な論理的もしくは物理的な構造または組織を表すのではなく、記載の機能を提供する適切な手段に対する参照であるに過ぎないと理解される。
【００９７】
本発明はハードウェア、ソフトウェア、ファームウェア、またはそれらの任意の組み合わせを含む、任意の適切な形態により実装することが可能である。本発明は、随意では、少なくとも部分的には、１つ以上のデータプロセッサ、デジタル信号プロセッサまたはその両方において動作するコンピュータソフトウェアとして実装することができる。本発明の一実施形態の要素および部品は、任意の適切な手法により物理的、機能的、および論理的に実装することができる。実際、機能は、単一のユニットにより、複数のユニットにより、または他の機能ユニットの一部として実装することができる。そのため、本発明は、単一のユニットにより実装されてもよく、異なるユニットおよびプロセッサ間に物理的および機能的に分散されてもよい。
【００９８】
本発明を一部の実施形態に関連して記載したが、本明細書に述べた特定の形態に限定する意図ではない。本発明の範囲は、添付の特許請求の範囲によってのみ限定される。これに加えて、それぞれの特徴が特定の実施形態に関連して記載されているように見える場合があるかもしれないが、当業者には、記載の実施形態の様々な機能が本発明において組み合わせられてよいことが認識される。特許請求の範囲において、含む、の用語は、他の要素または工程の存在を除外するものではない。
【００９９】
さらに、個別に挙げている複数の手段、要素または工程が、例えば、単一のユニットまたはプロセッサによって実装されてもよい。これに加えて、個々の特徴が別個の請求項に含まれている場合があるかもしれないが、それらの特徴が有利に組み合わせられてもよく、別個のクレームに包含されていることは、機能の組み合わせが実現可能でないことや、有利でないことを示唆するものでない。また、ある特徴が１つのカテゴリの発明に係る請求項に包含されていることは、そのカテゴリへの限定を示唆するものではなく、その特徴が他のカテゴリの発明に係る請求項に適切であるように同等に適用可能であることを示すものである。さらに、請求項における特徴の順序は、特徴を機能させる必要のある特定の順序を示唆するものではなく、詳細には、方法の発明に係る請求項の個々の工程の順序は、工程がその順序に実行される必要があることを示唆するものではない。むしろ、工程は任意の適切な順序で実行されてよい。
【図１】
2010517366.tif 000003
【図２】
2010517366.tif 000004
【図３】
2010517366.tif 000005
【国際調査報告】
2010517366.tif 000006